(57)【特許請求の範囲】
【請求項１】
周面に複数の符号が表された複数個のダイヤルと、各ダイヤルを決められた位置で回動操作可能に支持する軸方向への往復動と回動とが可能な作動軸と、前記作動軸上の各ダイヤルの位置に回動可能かつ作動軸に沿って往復動可能に設けられる複数個のロックギヤと、施錠および解錠の各操作に応動して回動する筒状体を有するアクチュエータと、前記筒状体と前記作動軸との間に設けられ筒状体の正逆回動に応動して作動軸を往復動させる往復動機構と、前記筒状体と前記作動軸との間に設けられ筒状体の正逆回動に応動して作動軸を回動させる回動機構と、解錠符号列を任意に設定することが可能な解錠符号列設定機構と、各ダイヤルの符号が解錠符号列を構成する整列状態にないとき前記往復動機構による作動軸の移動を規制して筒状体の回動を規制するロック機構と、施錠および解錠の各操作時に各ダイヤルを強制回動させて解錠符号列を整列状態から不整列の状態へ移行させるダイヤル強制駆動機構とを備え、前記ロック機構は、作動軸の軸周面に各ロックギヤに対応して設けられた複数の凸子と、各ロックギヤの内周面の長さ方向に設けられた凸子摺動溝とを含み、解錠符号列が整列状態のとき、凸子と凸子摺動溝との位置が一致して作動軸の移動を許容し、不整列の状態のとき、凸子と凸子摺動溝との位置がずれて作動軸の移動を規制するようにした符号錠装置において、
前記解錠符号列設定機構は、施錠操作に応動した前記筒状体の回動に全てのロックギヤの往動を連動させて各ダイヤルに係合させることにより解錠符号列を記憶させかつ解錠操作に応動した前記筒状体の回動に全てのロックギヤの復動を連動させて各ダイヤルとの係合を解くことにより解錠符号列の記憶を解除し、
前記ダイヤル強制駆動機構は、前記作動軸の回動に対して作動軸の各凸子がそれぞれ係合する係合溝を有するダイヤル毎のダイヤル駆動板と、前記筒状体の回動に連動して各ダイヤル駆動板を各ダイヤルに対して変位させる変位機構とを含み、各ダイヤル駆動板の外周と各ダイヤル駆動板に対応するダイヤルの内周との間には、各ダイヤル駆動板が各ダイヤルの方向へ変位した状態のとき、作動軸と一体にダイヤル駆動板が決められた角度だけ回動する間に互いに引っ掛かる部分を設けて、施錠および解錠の各操作時に各ダイヤルを解錠符号列の整列状態から他の所定の符号列の整列状態へ移行させるようにした符号錠装置。
【請求項２】
各ダイヤルは、周面に０を含むｎ個の数字が表されたものであり、前記ダイヤル強制駆動機構の各ダイヤル駆動板は、施錠および解錠の各操作時に各ダイヤルを、最大で（３６０度−３６０度／ｎ）の角度だけ回動させて、符号の０がダイヤルの数だけ並んだ状態へ移行させる請求項１に記載された符号錠装置。
【請求項３】
各ダイヤル駆動板の外周には突片が形成され、各ダイヤルの内周に前記突片が摺動する摺動溝が形成されるとともに、摺動溝内に突片が引っ掛かる凸部が設けられている請求項１または２に記載された符号錠装置。
【発明の詳細な説明】
【技術分野】
【０００１】
この発明は、貸しロッカーなどの扉の施錠に用いられ、解錠符号列を整列させたり崩したりして解錠および施錠の各状態を設定する符号錠装置に関し、特にこの発明は、貸しロッカー等の使用者が解錠符号列をその都度、自由に設定することが可能な符号錠装置に関する。
【背景技術】
【０００２】
従来、符号錠装置には、解錠符号列を自由に設定することが可能な自由符号タイプのものがある。ここで、「解錠符号列」とは、符号錠装置を解錠にするための各ダイヤルの符号の並びをいう。例えば、４個のダイヤルをもつ符号錠装置であってダイヤルの符号が「０」〜「９」の数字で構成されている場合、解錠符号列は４桁の数字になる。なお、以下の説明において、解錠符号列を構成する各ダイヤルの符号を、単に解錠符号という。
【０００３】
例えば、貸しロッカーの扉に設けられたこの種の符号錠装置は、施錠に際し、ロッカー使用者がダイヤル操作により好みの解錠符号列を設定して整列させた後、撮みを掴んで回動操作することにより、撮みの操作と連動した掛止片が扉側の受け金具に係合するもので、その後、ダイヤル操作により解錠符号列を適当に崩すことで、施錠状態となる。解錠に際しては、ダイヤル操作により設定した解錠符号列を整列させた後、撮みを掴んで前記と反対方向へ回動操作する。これにより掛止片が扉側の受け金具より外れ、ロッカーの扉の開放が可能となる。
【０００４】
上記の自由符号タイプのものは、使用者が常に変わるような用途、すなわち、不特定人が使用する用途に用いられる。しかし、使用者が不特定人である場合には、符号錠の操作に不慣れであるため、うっかり解錠符号列を崩すのを忘れることがあり、これを忘れると他人に解錠符号列が記憶されるおそれがあるため、防犯上好ましくない。そこで、この問題を解決するために、施錠および解錠の各操作時に各ダイヤルを強制回動させて解錠符号列を強制的に崩すダイヤル強制駆動機構が組み込まれた符号錠装置が提案されている（例えば、特許文献１参照）。
【０００５】
【特許文献１】特許第２５６４２３８号公報
【発明の開示】
【発明が解決しようとする課題】
【０００６】
しかしながら、特許文献１に記載の符号錠装置では、ダイヤル強制駆動機構を組み込むことによって符号錠装置の内部機構が複雑化し、製作や調整に手数がかかるうえ、錠全体が著しく大型化するという問題がある。
【０００７】
この発明は、上記した問題に着目してなされたもので、ダイヤル強制駆動機構が組み込まれた自由符号タイプの符号錠装置であって、構造が簡易でありかつ全体が小型な符号錠装置を提供することを目的とする。
【課題を解決するための手段】
【０００８】
この発明の前提となる符号錠装置は、使用者が使用に際して解錠符号列をその都度、自由に設定することが可能なものであって、周面に複数の符号が表された複数個のダイヤルと、各ダイヤルを決められた位置で回動操作可能に支持する軸方向への往復動と回動とが可能な作動軸と、前記作動軸上の各ダイヤルの位置に回動可能かつ作動軸に沿って往復動可能に設けられる複数個のロックギヤと、施錠および解錠の各操作に応動して回動する筒状体を有するアクチュエータと、前記筒状体と前記作動軸との間に設けられ筒状体の正逆回動に応動して作動軸を往復動させる往復動機構と、前記筒状体と前記作動軸との間に設けられ筒状体の正逆回動に応動して作動軸を回動させる回動機構と、解錠符号列を任意に設定することが可能な解錠符号列設定機構と、各ダイヤルの符号が解錠符号列を構成する整列状態にないとき前記往復動機構による作動軸の移動を規制して筒状体の回動を規制するロック機構と、施錠および解錠の各操作時に各ダイヤルを強制回動させて解錠符号列を整列状態から不整列の状態へ移行させるダイヤル強制駆動機構とを備えたものである。
前記ロック機構は、作動軸の軸周面に各ロックギヤに対応して設けられた複数の凸子と、各ロックギヤの内周面の長さ方向に設けられた凸子摺動溝とを含み、解錠符号列が整列状態のとき、凸子と凸子摺動溝との位置が一致して作動軸の移動を許容し、不整列の状態のとき、凸子と凸子摺動溝との位置がずれて作動軸の移動を規制する。
前記解錠符号列設定機構は、施錠操作に応動した前記筒状体の回動に全てのロックギヤの往動を連動させて各ダイヤルに係合させることにより解錠符号列を記憶させかつ解錠操作に応動した前記筒状体の回動に全てのロックギヤの復動を連動させて各ダイヤルとの係合を解くことにより解錠符号列の記憶を解除する。
前記ダイヤル強制駆動機構は、前記作動軸の回動に対して作動軸の各凸子がそれぞれ係合する係合溝を有するダイヤル毎のダイヤル駆動板と、前記筒状体の回動に連動して各ダイヤル駆動板を各ダイヤルに対して変位させる変位機構とを含み、各ダイヤル駆動板の外周と各ダイヤル駆動板に対応するダイヤルの内周との間には、各ダイヤル駆動板が各ダイヤルの方向へ変位した状態のとき、作動軸と一体にダイヤル駆動板が決められた角度だけ回動する間に互いに引っ掛かる部分を設けて、施錠および解錠の各操作時に各ダイヤルを解錠符号列の整列状態から他の所定の符号列の整列状態へ移行させるようにしている。
【０００９】
上記した構成の符号錠装置において、施錠または解錠の操作が行われると、アクチュエータの筒状体が応動して回動し、その回動に変位機構が連動して各ダイヤル駆動板を各ダイヤルの方向へ変位させるとともに、回動機構が応動して作動軸を回動させる。作動軸が回動すると、作動軸の各凸子がダイヤル強制駆動機構の各ダイヤル駆動板の係合溝と係合して各ダイヤル駆動板が作動軸と一体に決められた角度だけ回動する。各ダイヤル駆動板が決められた角度だけ回動する間に、各ダイヤル駆動板は対応するダイヤルをそれぞれ引っ掛けて回動させ、解錠符号列の整列状態から他の所定の符号列の整列状態へ移行させる。
【００１０】
この発明の好ましい実施態様においては、各ダイヤルは、周面に０を含むｎ個の数字が表されたものであり、前記ダイヤル強制駆動機構の各ダイヤル駆動板は、施錠および解錠の各操作時に各ダイヤルを、最大で（３６０度−３６０度／ｎ）の角度だけ回動させて、数字の０がダイヤルの数だけ並んだ状態へ移行させるものであるが、これに限らず、「０」以外の数字がダイヤル数だけ並んだ符号列の整列状態に移行させるようにしてもよい。なお、符号は数字に限らず、英文字などであってもよく、また図柄であってもよい。
【００１１】
この発明のさらに好ましい実施態様においては、各ダイヤル駆動板の外周に突片が形成され、各ダイヤルの内周に前記突片が摺動する摺動溝が形成されるとともに、摺動溝内に突片が引っ掛かる凸部が設けられているが、ダイヤル駆動板が決められた角度だけ回動する間に引っ掛かる構成のものであれば、どのような態様のものであってもよい。
【発明の効果】
【００１２】
この発明によると、作動軸の回動によって、しかも、ロック機構を構成する作動軸の凸子を利用して解錠符号列を強制的に崩す構成としたから、自由符号タイプの符号錠装置であって、構造の簡易化と小型化とを実現した符号錠装置を得ることができる。
【発明を実施するための最良の形態】
【００１３】
図１および図２は、この発明の一実施例である符号錠装置の外観を示している。この符号錠装置は、例えば、不特定人が使用する貸しロッカーなどの扉に取り付けられるもので、施錠および解錠に際して、掛止片１が正逆回動してロッカー本体の側に取り付けられた受け金具１０に係脱する。
【００１４】
なお、以下の説明において、掛止片１が受け金具１０に係合した状態を「閉状態」、この「閉状態」がロック保持されている状態を「施錠状態」、ロック解除された状態を「解錠状態」、掛止片１が受け金具１０より外れた状態を「開状態」という。また「開状態」から「施錠状態」へ至る操作を「施錠操作」、「閉状態」から「開状態」へ至る操作を「解錠操作」という。
【００１５】
図示例の符号錠装置は、解錠符号列が整列状態にあることにより施錠および解錠の各操作が可能となる符号錠の機構のみが組み込まれたものであるが、これに加えて、適正な鍵の挿入により施錠および解錠の各操作が可能となるシリンダー錠の機構を導入して構成することもできる。
【００１６】
図１および図２において、１４は箱状ケース１１の上面開口を塞ぐ前面プレートであって、板面の一端部寄りに円形の開口部１２が、中央部から他端部にかけて４個の窓孔１３が、それぞれ設けてある。開口部１２の位置には撮み２０による施錠および解錠の各操作に応動するアクチュエータ２が、また、４個の窓孔１３の位置には解錠符号列を整列させるためのダイヤル機構が、それぞれ組み込まれている。撮み２０は開口部１２より前面プレート１４上へ突出している。各窓孔１３には前面プレート１４上に４個の各ダイヤル４のダイヤル操作面４２が突出している。ダイヤル操作面４２には「０」〜「９」の１０個の符号４３が表されている。
【００１７】
図３〜図１４には、箱状ケース１１の内部構造が示してある。図示例の符号錠装置は、使用者が使用に際して解錠符号列をその都度自由に設定することが可能なもので、かつ、施錠および解錠の各操作に伴い解錠符号列が崩されて「０」が４個並んだ状態（この符号列を「初期符号列」という。）へ移行させるようになっている。上記の機能を実現可能とするために、アクチュエータ２、作動軸３、４個のダイヤル４、４個のロックギヤ５、解錠符号列設定機構６、往復動機構７、回動機構８、ロック機構９、ダイヤル強制駆動機構１００などの構成を備えており、また、付加的な構成として、ダイヤル間欠送り機構１７なども設けられている。
【００１８】
なお、図３〜図１４において、図３は符号錠装置の内部構造を示す正面図である。また、図４は撮み２０を取り外した状態のアクチュエータ２の平面図である。図５，７，９，１１，１３は符号錠装置の内部構造を示す前面プレート１４の側より見た断面図であり、図６，８，１０，１２，１４は前面プレート１４の垂直方向に沿う断面図である。図５，６は符号錠装置の「開状態」を、図７，８は「施錠操作時」の状態を、図９，１０は「閉状態」を、図１１〜１４は「解錠操作時」の状態を、それぞれ示している。
【００１９】
（１）アクチュエータ２の構成
アクチュエータ２は、撮み２０による施錠および解錠の各操作に応動するもので、支持板１５で区画された一方の空間内に筒状体２１が回動可能に支持されて成る。筒状体２１の上端には前記撮み２０が取り付けられ、この撮み２０を撮んで正逆いずれかの方向へ回動操作すると、筒状体２１が一体に回動する。
【００２０】
この実施例では、筒状体２１は内筒２２と外筒２３とで構成されるとともに、内筒２２の内部の外筒２３との間に複数のディスクタンブラーより成るシリンダー錠の機構（図示せず）が組み込まれている。ディスクタンブラーは、外筒２３に対する内筒２２の回動を規制するためのもので、鍵孔２７から内筒２２内へマスター鍵が挿入されていない状態では、ディスクタンブラーが内筒２２と外筒２３との間に介在して内筒２２と外筒２３とが係合した状態にある。マスター鍵が挿入された状態では、全てのディスクタンブラーが内筒２２内に退避することで内筒２２と外筒２３との係合が外れ、外筒２３内で内筒２２が回動可能な状態となる。
【００２１】
この実施例によると、解錠符号列が忘れられたときなどに、内筒２２内へマスター鍵を挿入すると、内筒２２と外筒２３との係わりが切れて、内筒２２のみを回動操作することができ、これにより解錠操作が可能となる。なお、このような構成のシリンダー錠はすでに公知であって、ここでは錠機構についての詳細な説明は省略する。
【００２２】
筒状体２１を構成する内筒２２には、取付軸２４を介して前記掛止片１が取り付けられている。撮み２０の操作により筒状体２１を回動すると、掛止片１が筒状体２１と一体に１２０度の角度範囲だけ正逆回動する。筒状体２１を構成する外筒２３の外周面には、筒状体２１が「開状態」の角度位置にあるときに作動軸３の方向を向く第１の凹部２５と、筒状体２１が「閉状態」の角度位置にあるときに作動軸３の方向を向く第２の凹部２６とが形成されている。各凹部２５，２６は、作動軸３の先端部３０が嵌まる大きさに形成されている。
外筒２３の外周には、後述する往復動機構７を構成する外筒リング７０が回動可能に嵌合されている。また、外筒２３の外周には、後述する回動機構８を構成する第１の傘歯車８０も嵌着されている。
【００２３】
外筒２３の下部外周面には、図２４（２）に示すように、筒状体２１が「開状態」の角度位置にあるときに作動軸３の方向を向いて作動軸３と直交する垂直面２８Ａと、筒状体２１が「閉状態」の角度位置にあるときに作動軸３の方向を向いて作動軸３と直交する垂直面２８Ｂと、垂直面２８Ａと垂直面２８Ｂとを繋ぐ凸曲面２９とがそれぞれ形成されている。これらの垂直面２８Ａ，２８Ｂおよび凸曲面２９は、後述する解錠符号列設定機構６を構成している。
【００２４】
（２）作動軸３の構成
作動軸３は、アクチュエータ２と直交する方向に水平に設けられており、先端部３０は支持板１５に開設された軸受孔に、基端部は軸受１６に、それぞれ往復動可能かつ正逆回動可能に支持されている。作動軸３の基端部にはフランジ部３１が設けられ、このフランジ部３１と軸受１６との間には圧縮バネ３３が配備され、そのバネ圧によって作動軸３を常時、アクチュエータ２の方向へ付勢している。この圧縮バネ３３は、後述する往復動機構７を構成している。
【００２５】
作動軸３の先端部３０には、後述する回動機構８を構成する第２の傘歯車８１が摺動自由に支持されている。作動軸３の先端部３０の先端面は曲面になっており、この先端部３０が第２の傘歯車８１よりアクチュエータ２の側へ突出したり引っ込んだりする。作動軸３の軸周面には、一定間隔毎に４個の凸子３２ａがそれぞれ同じ角度位置に一体突設されている。なお、この実施例では、他の同じ角度位置にも４個の凸子３２ｂを一体突設しているが、凸子列は必ずしも２列である必要はなく、１列であってもよい。これらの凸子３２ａ，３２ｂはロック機構９およびダイヤル強制駆動機構１００とを構成し、その詳細は後述する。
【００２６】
（３）往復動機構７の構成
往復動機構７は、施錠および解錠の各操作に基づくアクチュエータ２の作動（筒状体２１の回動）に応動して作動軸３を所定のタイミングで所定の変位量だけ往復移行させるためのもので、筒状体２１の外筒２３の外周面に所定の角度（この実施例では、１２０度）だけ隔てて形成された第１，第２の各凹部２５，２６と、外筒２３の外周に嵌合される外筒リング７０（図２５に示す）に１２０度毎に設けられた開口部７１と、外筒２３の上端面に設けられ、外筒リング７０の上端面に１２０度毎に形成された切溝７５と係脱可能な爪板７４（図４に示す）と、作動軸３をアクチュエータ２の方向へ付勢する前記圧縮バネ３３とを含む。なお、外筒２３の各凹部２５，２６の両側壁、および外筒リング７０の開口部７１の一方の側壁７２は、後述するように作動軸３の先端部３０が脱出し易いように傾斜させてある。また、外筒リング７０の開口部７１の側壁７２は外筒リング７０の外周面７０Ａから突出しており、外筒リング７０の外周面７０Ａには、これより高さの高い突出面７３が形成されている。
【００２７】
図５および図６に示す「開状態」のときは、外筒２３の第１の凹部２５と外筒リング７０のいずれかの開口部７１とが重なって作動軸３の先端部３０に対向位置する。作動軸３は圧縮バネ３３のバネ力により押され、先端部３０が外筒リング７０の開口部７１より外筒２３の第１の凹部２５へ嵌入している。この嵌入状態のとき、作動軸３はアクチュエータ２の側へ最も変位している。以下、この位置を「第１変位位置」という。
【００２８】
図７および図８は、アクチュエータ２が「開状態」から「閉状態」への移行時の状態を示している。この状態では、外筒２３と外筒リング７０とは爪板７４（図４に示す）による係合が外れているため一体回動せず、外筒２３のみが回動する結果、作動軸３の先端部３０は第１の凹部２５より脱出して外筒２３の外周面２３Ａに乗り上がっている。この乗り上がった状態のとき、作動軸３は圧縮バネ３３のバネ力に抗して押され、アクチュエータ２に対して反対方向へ変位している。以下、この位置を「第２変位位置」という。
【００２９】
図９および図１０に示す「閉状態」のときは、外筒２３の第２の凹部２６と外筒リング７０の開口部７１とが重なって作動軸３の先端に対向位置している。作動軸３は圧縮バネ３３のバネ力により押され、先端部３０が外筒２３の外周面２３Ａから第２の凹部２６へ入り込み、アクチュエータ２の側へ最も変位した「第１変位位置」で定位している。
【００３０】
図１１および図１２は、「閉状態」から「開状態」へわずか（この実施例では、約１８度）に移行したときの状態を、また図１３および図１４は、さらに移行したときの状態を、それぞれ示している。「閉状態」から「開状態」へ移行する際は、外筒２３と外筒リング７０とは爪板７４（図４に示す）により係合して一体回動する。その結果、図１１および図１２に示す移行開始直後は、作動軸３の先端部３０は外筒２３の第２の凹部２６および外筒リング７０の開口部７１を脱出して外筒リング７０の突出面７３に乗り上がる。この乗り上った状態のとき、作動軸３は圧縮バネ３３のバネ力に抗して押され、アクチュエータ２と反対方向へ最も変位している。以下、この位置を「第３変位位置」という。
【００３１】
図１３および図１４に示す「閉状態」から「開状態」への移行途中では、作動軸３は圧縮バネ３３のバネ力により押し返され、その先端部３０は外筒リング７０の突出面７３から外周面７０Ａに転落して支持されている。この状態では、作動軸３は「第３変位位置」から少し「第２変位位置」寄りに定位する。以下、この位置を「第４変位位置」という。
【００３２】
「閉状態」から「開状態」へ約１２０度回動したときの状態、すなわち、「開状態」では、作動軸３は圧縮バネ３３のバネ力を受けてその先端部３０が外筒２３の第１の凹部２５へ嵌入している。この嵌入状態のとき、作動軸３はアクチュエータ２の側へ最も変位した「第１変位位置」になっている。
【００３３】
（４）回動機構８の構成
回動機構８は、筒状体２１の外筒２３の外周に装着された第１の傘歯車８０と、作動軸３の先端部３０に支持された第２の傘歯車８１とで構成されている。第１，第２の各傘歯車８０，８１は噛み合い、これにより筒状体２１の回動が作動軸３へ伝達されて作動軸３が回動する。作動軸３は上記した「開状態」から「閉状態」へ、また「閉状態」から「開状態」へ、それぞれ移行する間に１回転するように各傘歯車８０，８１の歯のピッチなどが決められている。
【００３４】
第１の傘歯車８０は、図３および図２６に示すように、その下面に所定の角度範囲βにわたって切り欠かれた切欠溝８２が形成されている。一方、筒状体２１の外筒２３の外周には、図３および図２４（１）に示すように、前記角度βより小さな角度αにわたる係合突起８３が形成されてあり、係合突起８３に切欠溝８２が係合するようにして外筒２３の外周に第１の傘歯車８０が装着されている。この切欠溝８２と係合突起８３とは、筒状体２１が所定の角度（この実施例では、約３０度）回動した時点で第１の傘歯車８０が筒状体２１と一体回動を開始し、これにより第２の傘歯車８１の回動を開始させる作動遅延機構を構成している。
【００３５】
施錠および解錠の各操作に際して、筒状体２１が回動するとき、回動当初は係合突起８３が切欠溝８２内を空転する結果、第１の傘歯車８０は一体回動せず、筒状体２１が所定の角度（β―α）だけ空転して係合突起８３が係合溝８２の端に達した後、第１の傘歯車８０は一体回動を開始する。この作動遅延機構は、まず、作動軸３を回動させずに往復動作させ、引き続き、作動軸３を回動動作させるためのもので、後述するロック機構９やダイヤル強制駆動機構１００の動作と関わっている。
【００３６】
（５）ダイヤル４とロックギヤ５の構成
４個の各ダイヤル４は、作動軸３上の決められた等間隔位置にそれぞれロックギヤ５を介して回動可能に支持されている。各ダイヤル４は、図１５〜図１７に示すように、ダイヤル本体４０の外周面の等角度位置毎に「０」〜「９」の符号４３が表され、ダイヤル操作面４２が構成されている。また、ダイヤル本体４０の側面には、ダイヤル間欠送り機構１７を構成するボス部４４が一体に設けられている。
【００３７】
前記ボス部４４の外周縁には符号数に相当する数（１０個）の谷部４５が形成されており、各ダイヤル４のボス部４４と対応させて設けられるＵ字形状のばね部材１８とともにダイヤル間欠送り機構１７を構成している。ダイヤル間欠送り機構１７は、各ダイヤル４の回動操作に対してダイヤル４を符号の配列角度ずつ間欠送りして前面プレート１４の窓孔１３に「０」〜「９」の各符号を順次定位させるものである。
前記の各ばね部材１８は、基端が適所に固定され、その先端部には一対の押圧部１９Ａ，１９Ｂが構成されている（図３参照）。押圧部１９Ａ，１９Ｂはボス部４４の外周縁にそれぞれ押し当てられており、ダイヤル４の自由回動が規制されている。ダイヤル４のダイヤル操作面４２を手操作してダイヤル４を回すと、ばね部材１８の各押圧部１９Ａ，１９Ｂがボス部４４の各谷部４５と順次係合することにより、ダイヤル４が所定の回動角度位置に順次止まり、前面プレート１４の窓孔１３に「０」〜「９」の符号が順次出現する。
【００３８】
各ロックギヤ５は、作動軸３上の各ダイヤル４の位置に、回動可能かつ作動軸３に沿って往復動可能に支持されている。各ダイヤル４のダイヤル本体４０の内周面には、符号数に一致する数（１０個）の嵌合溝４６を等角度間隔で一周配置して成る溝列４１が形成されている（図１５）。また、各ダイヤル本体４０の内周面の隣り合う嵌合溝４６，４６間には、突子４７を一周配置して成る突子列４８が形成されている（図１５）。一方、各ロックギヤ５の前端部の外周面には、ダイヤル４の嵌合溝４６と嵌合可能な嵌合突子５１が等角度間隔で所定数（この実施例では、５個）、一周配置されて成る突子列５０ａ，５０ｂが２列形成されている（図１８）。各ロックギヤ５の突子列５０ａ，５０ｂ間にはダイヤル４の突子列４８の幅よりやや広い幅の摺動凹溝５２が形成されている（図１９）。
【００３９】
ロックギヤ５がダイヤル４に向けて移動して、ロックギヤ５のいずれかの突子列５０ａ，５０ｂの各嵌合突子５１がダイヤル４の嵌合溝４６と噛み合ったとき、ダイヤル４とロックギヤ５とが結合して一体回動が可能となる。これに対して、ロックギヤ５がダイヤル４から離れてロックギヤ５の各嵌合突子５１とダイヤル４の嵌合溝４６との噛み合いが外れたとき、ダイヤル４はロックギヤ５との係わりが切れ、単独で回動可能となる。
【００４０】
（６）解錠符号列設定機構６の構成
解錠符号記憶機構６は、解錠符号列を自由に設定しかつ記憶させるための機構であって、各ダイヤル４と各ロックギヤ５とを前記した嵌合部を介していずれかの嵌合角度位置で噛み合わせることにより解錠符号列を記憶させるものである。ロックギヤ５に対するダイヤル４の嵌合角度位置、すなわちロックギヤ５の突子列５０ａ，５０ｂとダイヤル本体４０の溝列４１との噛み合い角度位置は、符号数に一致する数だけ存在するもので、従って、両者の噛み合い角度位置に応じて解錠符号を１０通り記憶することが可能である。
【００４１】
この実施例での解錠符号列設定機構６は、各ダイヤル４のダイヤル本体４０の内周面に形成された溝列４１と、各ロックギヤ５の外周面に形成された突子列５０ａ，５０ｂと、解錠符号列の設定操作が可能な状態（すなわち、ロックギヤ５とダイヤル４との係わりが切れた状態）と解錠符号列が記憶された状態（すなわち、ロックギヤ５とダイヤル４とが係わった状態）とを形成するための変位機構６０とで構成される。
【００４２】
（７）変位機構６０の構成
この変位機構６０は、施錠および解錠の各操作に応動した筒状体２１の回動に連動させて全てのロックギヤ５、さらには、後述する全てのダイヤル駆動板９０を一斉に往復変位させて各ダイヤル３に近づけたり遠ざけたりする機構である。このような動作を実現するために、この実施例では、外筒２３の下部外周面の所定角度位置に形成された凸曲面２９（図２４（２）に示す）と、外筒２３の回動時に作動軸３に沿う方向へ往復動する可動体６１と、アクチュエータ２に最も近いダイヤル駆動板９０と仕切板１５との間に設けられた復帰バネ６７とから構成されている。各ロックギヤ５は隣り合う各ダイヤル駆動板９０と互いに当接するように配備され、復帰バネ６７は、全てのロックギヤ５とダイヤル駆動板９０とが連なったロックギヤ５およびダイヤル駆動板９０の列をアクチュエータ２に対して反対方向へ付勢している。
【００４３】
前記可動体６１は、図２７に示すように、箱状ケース１１の底面上に垂直かつ互いに平行に配備される駆動板６２およびストッパー６３と、駆動板６２とストッパー６３とを所定の間隔をあけた状態で一体化する２本の連結棒６４，６４とから成る。ストッパー６３は、ロックギヤ５およびダイヤル駆動板９０の列の移行規制位置を設定するものである。ストッパー６３の頂部には凹状に切り欠かれた凹溝６５が形成されており、作動軸３の基端部を摺動可能に支持する。駆動板６２の一方の側面には、その中央に突起部６６が一体形成されている。
【００４４】
この可動体６１は、図５および図６に示す「開状態」のとき、駆動板６２の他方の側面が外筒２３の下部外周面の垂直面２８Ａ（図２４（２）に示す）と当接するとともに、ストッパー６３がアクチュエータ２に最も遠いロックギヤ（以下、「終端のロックギヤ」という。）５と当接した状態にある。また、可動体６１の駆動板６２と箱状ケース１１の底面上の所定位置に立設された立壁６８との間には、駆動板６２（可動体６１）をアクチュエータ２の側へ押す圧縮バネ６９が設けられている。この圧縮バネ６９は、突起部６６に嵌められている。
【００４５】
この「開状態」では、可動体６１のストッパー６３により終端のロックギヤ５が押され、これと連なった他のロックギヤ５と各ダイヤル駆動板９０とをアクチュエータ２の側へ変位させることにより、各ロックギヤ５はアクチュエータ２の側に変位した位置にある。このとき、各ダイヤル４の溝列４１は各ロックギヤ５のいずれの突子列５０ａ，５０ｂとも噛み合っておらず、各ダイヤル４と各ロックギヤ５との係わりは切れている。これにより、「開状態」のときの各ダイヤル４は、単独で回動することが可能な状態にあり、任意の解錠符号を設定できる。
なお、詳細は後述するが、この「開状態」では、各ダイヤル駆動板９０もアクチュエータ２の側に変位して、対応する各ダイヤル４から遠ざかった位置に位置している。
【００４６】
図７および図８に示す「開状態」から「閉状態」の移行時では、外筒２３の回動に伴い、駆動板６２が外筒２３の凸曲面２９へ乗り上がることにより、駆動板６２はアクチュエータ２と反対方向へ押され、一定量だけ変位した状態で凸曲面２９上を摺動する。これにより、駆動板６２と一体のストッパー６３も変位し、ストッパー６３により変位が規制されていたロックギヤ５およびダイヤル駆動板９０の列も復帰バネ６７のバネ力により押されて同様に変位する。しかし、このとき作動軸３は「第２変位位置」にあり、作動軸３のフランジ部３１が終端のロックギヤ５の後端面に形成されたリング溝５５（図２０に示す）に係合するため、ロックギヤ５およびダイヤル駆動板９０の列はこれ以上の変位が規制される。この状態では、各ダイヤル４の溝列４１と各ロックギヤ５の一方の突子列５０ｂとが噛み合って係わり合うので、設定された解錠符号列が記憶される。
なお、この状態では、各ダイヤル駆動板９０もアクチュエータ２に対して反対方向に変位して、対応する各ダイヤル４に近づいた位置に位置しており、各ダイヤル４と各ロックギヤ５とは後述するダイヤル強制復帰機構１００の作用により一体回動する。
【００４７】
図９および図１０の「閉状態」では、作動軸３は「第１変位位置」にあり、ロックギヤ５およびダイヤル駆動板９０の列は、終端のロックギヤ５が作動軸３のフランジ部３１によりアクチュエータ２の側へ押されることにより、アクチュエータ２の側に変位した状態にある。この状態では、各ロックギヤ５は変位しても、その変位量はわずかであるため、ダイヤル４との噛み合いが維持され、解錠符号の記憶が保持されている。従って、各ダイヤル４と各ロックギヤ５とは一体回動が可能な状態にあり、解錠のためのダイヤル操作により解錠符号を整列させることができる。
このとき、可動体６１は、駆動板６２が圧縮バネ６９のバネ力により押されることにより、アクチュエータ２の側へ変位しており、駆動板６２は外筒２３の垂直面２９Ｂ（図２４（２）に示す）と当接している。
なお、この「閉状態」では、各ダイヤル駆動板９０もアクチュエータ２の側に変位して、対応する各ダイヤル４から遠ざかった位置に位置している。
【００４８】
図１１および図１２に示す「閉状態」から「開状態」への移行開始時では、作動軸３がアクチュエータ２に対して反対方向に最も変位する「第３変位位置」にあり、作動軸３のフランジ部３１にストッパー６３が押されることにより可動体６１はアクチュエータ２に対して反対方向に最も変位している。また、作動軸３のフランジ部３１がロックギヤ５およびダイヤル駆動板９０の列から離れるため、復帰バネ６７のバネ力によりロックギヤ５およびダイヤル駆動板９０の列はアクチュエータ２と反対方向へ変位し、終端のロックギヤ５はストッパー６３に当接する。
この状態では、各ダイヤル４の溝列４１は各ロックギヤ５の一方の突子列５０ａと噛み合って係わり合い、各ダイヤル４は単独では回動が不可能な状態にある。
なお、この状態では、各ダイヤル駆動板９０もアクチュエータ２と反対方向に変位して、対応する各ダイヤル４に近づいた位置に位置している。
【００４９】
図１３および図１４に示す「閉状態」から「開状態」への移行途中では、作動軸３は「第３変位位置」から少しアクチュエータ２の側に寄った「第４変位位置」にあり、可動体６１は圧縮バネ６９のバネ力によりストッパー６３が作動軸３のフランジ部３１に当接するまでアクチュエータ２の側へ変位し、これに伴いロックギヤ５およびダイヤル駆動板９０の列もストッパー６３により押されてアクチュエータ２の側へ変位している。このとき、可動体６１の駆動板６２は外筒２３の凸曲面２９Ｂに当接する。
この状態では、各ダイヤル４の突子列４８が各ロックギヤ５の摺動凹溝５２に位置し、各ダイヤル４の溝列４１は各ロックギヤ５のいずれの突子列５０ａ，５０ｂとも噛み合っておらず、各ダイヤル４と各ロックギヤ５との係わりは切れている。そのため、各ダイヤル４は単独で回動が可能な状態となる。
なお、この状態では、各ダイヤル駆動板９０は変位しても、その変位量はわずかであるため、対応する各ダイヤル４に近づいた位置に位置しており、各ダイヤル４は後述するダイヤル強制駆動機構１００の作用により回動する。
【００５０】
（８）ロック機構９の構成
ロック機構９は、各窓孔１３に現れる各ダイヤル４の符号４３がすべて解錠符号であるとき（解錠符号列が生成されたとき）、施錠および解錠の各操作に伴う筒状体２１の回動を許容し、いずれかのダイヤル４の符号４３が解錠符号でないとき（解錠符号列が崩れているとき）、筒状体２１の回動を規制するものである。この実施例のロック機構９は、作動軸３の軸周面に突設された１列につき４個の各凸子３２ａ，３２ｂと、各ロックギヤ５の内周面の長さ方向に設けられた前記の各凸子３２ａ，３２ｂが摺動して出入りする凸子摺動溝５３ａ，５３ｂ（図１８）とで構成されている。
【００５１】
各凸子摺動溝５３ａ，５３ｂと各凸子３２ａ，３２ｂとが同じ角度位置にあるとき、各凸子摺動溝５３ａ，５３ｂへ各凸子３２ａ，３２ｂが進入することができるので、作動軸３の移動が許容され、その結果、筒状体２１の回動が許容される。なお、図１８において、５４は凸子係合穴であり、いずれかの凸子３２ａ，３２ｂが凸子係合穴５４と係合する角度位置にあるとき、作動軸３の移動が規制され、その結果、筒状体２１の回動が規制される。
【００５２】
図５および図６に示す「開状態」のときは、作動軸３は「第１変位位置」にあり、作動軸３の各凸子３２ａ，３２ｂは各ロックギヤ５の凸子摺動溝５３ａ，５３ｂ内に係入しているので、筒状体２１の回動規制は解除されている。
図７および図８に示す「開状態」から「閉状態」への移行時には、作動軸３の各凸子３２ａ，３２ｂは各ロックギヤ５の凸子係合溝５３ａ，５３ｂより脱出し、各ロックギヤ５は作動軸３に対し独立して回動が可能な状態にある。このとき各ダイヤル４は各ロックギヤ５と係わり合った状態にあって、ダイヤル強制復帰機構１００の作用により各ダイヤル４と各ロックギヤ５とは一体回動する。
【００５３】
図９および図１０に示す「閉状態」のときも、作動軸３の各凸子３２ａ，３２ｂは各ロックギヤ５の凸子係合溝５３ａ，５３ｂから脱出した状態が維持されており、各ロックギヤ５は作動軸３に対して独立して回動可能な状態にある。この状態において、もし、凸子３２ａ，３２ｂと凸子摺動溝５３ａ，５３ｂとの位置が一致していれば、作動軸３がアクチュエータ２と反対の方向へ移動するのが許容される。一方、凸子３２ａ，３２ｂと凸子摺動溝５３ａ，５３ｂとの位置がずれていれば、凸子３２ａ，３２ｂはロックギヤ５のいずれかの凸子係合穴５４と対向するため、作動軸３がアクチュエータ２と反対の方向へ移行するのが阻止される。
【００５４】
図１１〜図１４の「閉状態」から「開状態」への移行時には、作動軸３の各凸子３２ａ，３２ｂは各ロックギヤ５の凸子摺動溝５３ａ，５３ｂ内に係入し、各ロックギヤ５は作動軸３と一体回動可能な状態にある。このとき、図１１および図１２に示す移行開始時では、各ダイヤル４は各ロックギヤ５と係わり合った状態にあり、また、作動軸３は回動しないため、各ダイヤル４は回らない。一方、図１３および図１４に示す移行途中時では、各ダイヤル４は各ロックギヤ５との係わりが切れた状態にあり、各ダイヤル４はダイヤル強制復帰機構１００の作用により単独で回動する。
【００５５】
（９）ダイヤル強制駆動機構１００の構成
この実施例のダイヤル強制駆動機構１００は、解錠符号列を整列状態に設定した後、「開状態」から「閉状態」へ移行させるとき、整列状態の解錠符号列を崩して各ダイヤル４を決められた角度位置まで回動させ、一方、解錠符号列を整列させた後、「閉状態」から「開状態」へ移行させるとき、同様に、整列状態の解錠符号列を崩して各ダイヤル４を決められた角度位置まで回動させるものである。この実施例では、いずれの場合も、各ダイヤル４の窓孔１３に「０」が出現するような角度位置に各ダイヤル４を強制回動させることにより、「０」が４個並んだ初期符号列の整列状態へ移行させる構成となっているが、これに限らず、他の決められた符号が各窓孔１３に出現するように構成してもよい。
【００５６】
ダイヤル強制駆動機構１００は、作動軸３上に各ダイヤル４に対応させてダイヤル駆動板９０と、各ダイヤル駆動板９０を対応する各ダイヤル４に近づけたり遠ざけたりして変位させる前記変位機構６０とで構成されている。
【００５７】
各ダイヤル駆動板９０は、図２１〜図２３に示すように、内周面に作動軸３と一体回動が可能なように作動軸３の各凸子３２ａ，３２ｂが係合する係合溝９１ａ，９１ｂが形成されている。各係合溝９１ａ，９１ｂは、凸子３２ａ，３２ｂと係合した状態のとき、３６０度／ｎ（ただし、ｎは符号数）に相当する角度（この実施例では、３６０度／１０＝３６度）の遊びが設定してあり、これにより作動軸３が３６０度回動するのに対して、ダイヤル駆動板９０が（３６０度−３６０度／ｎ）に相当する角度（この実施例では、３６０度−３６０度／１０＝３２４度）だけ回動するようにしている。すなわち、「０」が４個並んだ初期符号列の整列状態へ移行させるために、各ダイヤル４を最大で９符号分だけ強制回動させる。
【００５８】
各ダイヤル駆動板９０の外周と各ダイヤル駆動板９０に対応するダイヤル４の内周との間には、各ダイヤル駆動板９０が各ダイヤル４の方向へ変位した状態（近づいた状態）のとき、ダイヤル駆動板９０が決められた角度（この実施例では、３２４度）だけ回動する間に互いに引っ掛かる部分を設けて、施錠および解錠の各操作時に各ダイヤル４を解錠符号列の整列状態から他の所定の符号列の整列状態へ移行させるようにしている。
【００５９】
この実施例では、各ダイヤル駆動板９０の外周に突片９２が形成され、各ダイヤル４のダイヤル本体４０の内周に前記突片９２が摺動する摺動溝９３が形成されるとともに、摺動溝９３内の所定の角度位置に前記突片９２が引っ掛かる凸部９４が形成されている。
【００６０】
各ダイヤル駆動板９０は、上述したように、変位機構６０の動作によって、アクチュエータ２の側へ変位して対応するダイヤル４から遠ざかったり、アクチュエータ２に対して反対方向へ変位して対応するダイヤル４に近づいたりする。
【００６１】
図２８−１および図２８−２は、作動軸３とダイヤル駆動板９０とダイヤル４との関係を示す説明図である。図２８−１（１）は「開状態」で「０」が４個並んだ初期状態を、図２８−１（２）は「開状態」で任意の解錠符号列（例えば、「２２２２」）を設定した状態を、図２８−１（３），図２８−２（４）は「開状態」から「閉状態」への移行時の状態を、図２８−２（５）は「閉状態」を、それぞれ示している。
作動軸３は、上記した「開状態」と「閉状態」との間、「閉状態」と「開状態」との間を移行する間にちょうど１回転するので、作動軸３の凸子３２ａ，３２ｂは「開状態」および「閉状態」のとき同じ角度位置にある。
【００６２】
図２８−１（１）の「開状態」のとき、作動軸３の一方の凸子３２ａおよびダイヤル駆動板９０の突片９２は所定の角度位置θ、すなわち、前面プレート１４に対して１８度の角度位置に位置している。また、ダイヤル４の凸部９４は前面プレート１４の方向を向いている。この状態では、上述したように、各ダイヤル駆動板９０は各ダイヤル４から遠ざかった位置にあるため、各ダイヤル４とは係わり合っていない。従って、各ダイヤル４は単独で回動する。
【００６３】
各ダイヤル４を回動操作して、決められた解錠符号列（「２２２２」）を整列させると、各ダイヤル４の凸部９４は窓孔１３に出現する符号に応じた角度位置（この実施例では、前面プレート１４に対して７２度回転した角度位置）に位置する（図２８−１（２）参照）。
【００６４】
次に、作動軸３が回動を始めると、当初は作動軸３の凸子３２ａ，３２ｂはダイヤル駆動板９０の係合溝９１ａ，９１ｂ内を摺動するため、１符合分（３６度）だけ空転し、ダイヤル駆動板９０は追随して回動しない（図２８−１（３）参照）。このとき、各ダイヤル駆動板９０は各ダイヤル４に近づいた位置へ変位し、各ダイヤル駆動板９０の突片９２は各ダイヤル４の摺動溝９３内に位置する。
【００６５】
その後、各凸子３２ａ，３２ｂが切欠溝９１ａ，９１ｂに係合することにより、作動軸３とダイヤル駆動板９０とが適当な角度（この実施例では、３６度）だけ一体回動すると、ダイヤル駆動板９０の突片９２がダイヤル４の凸部９４に引っ掛かる（図２８−２（４）参照）。これにより、それ以後は、ダイヤル４は作動軸３およびダイヤル駆動板９０とともに一体に回動する。
この状態からさらに作動軸３が所定の角度（この実施例では、２８８度）回動して、作動軸３が１回転すると（図２８−２（５）参照）、ダイヤル４も初期の状態から１回転して窓孔１３に出現するダイヤル操作面４２の符号４３が「０」となる位置で回動が停止する。
【００６６】
なお、「閉状態」から「開状態」に移行するときのダイヤル強制駆動機構１００の動作は、上記した「開状態」から「閉状態」に移行するときの動作と同様であるので、ここでは詳細な説明は省略する。
【００６７】
次に、上記した構成の符号錠装置について、施錠操作時および解錠操作時の一連の動作を詳細に説明する。
まず、施錠操作時の動作について説明すると、符号錠装置が図５および図６に示された「開状態」にあるとき、作動軸３は、先端部３０が外筒２３の第１の凹部２５に嵌まってアクチュエータ２の側へ最も変位した状態にある（第１変位位置）。この状態では、各ダイヤル４は各ロックギヤ５との係わりが切れた状態、すなわち、各ダイヤル４の溝列４１が各ロックギヤ５のいずれの突子列５０ａ，５０ｂとも噛み合っていない状態にある。また、各ダイヤル４は各ダイヤル駆動板９０との係わりが切れた状態にあるので、単独回動が可能な状態であり、各ダイヤル４を回して解錠符号列を自在に設定することが可能である。
【００６８】
さらに、この「開状態」のとき、作動軸３の各凸子３２ａ，３２ｂは各ロックギヤ５の凸子摺動溝５３ａ，５３ｂ内に係入しているので、筒状体２１の回動規制は解除されており、符号錠装置は施錠操作が可能な状態に設定されている。
また、ダイヤル駆動板９０の突片９２は所定の角度位置θにあり、ダイヤル４の凸部９４は前面プレート１４の方向を向いている（図２８−１（１）参照）。
【００６９】
各ダイヤル４のダイヤル操作面４２を回動操作して、任意の解錠符号列（例えば、「２２２２」）を設定すると、各ダイヤル４の凸部９４は窓孔１３に出現する符号に応じた角度位置にそれぞれ移動する（図２８−１（２）参照）。
【００７０】
次に、撮み２０を回動操作すると、筒状体２１が回動し、作動軸３の先端部３０が外筒２３の第１の凹部２５から外周面２３Ａに乗り上がり、作動軸３がアクチュエータ２に対して反対方向へ押される結果、作動軸３は「第２変位位置」へ移行する。この状態では、変位機構６０により各ロックギヤ５が各ダイヤル４に向かって変位して各ダイヤル４の溝列４１と各ロックギヤ５の一方の突子列５０ｂとが噛み合って係わり合うので、設定された解錠符号列が記憶される。この乗り上がった段階で各ロックギヤ５と各ダイヤル４とは一体回動が可能な状態になっている。
【００７１】
また、この状態では、各ロックギヤ５は作動軸３と係わりが切れた状態、すなわち、作動軸３の凸子３２ａ，３２ｂが各ロックギヤ５の凸子摺動溝５３ａ，５３ｂより脱出した状態にある。従って、各ダイヤル４および各ロックギヤ５は、作動軸３と独立して回動可能な状態にある。
さらに、各ダイヤル駆動板９０は変位機構６０により各ダイヤル４に近づいて係わり合っている。
【００７２】
アクチュエータ２がさらに回動すると、その後に回動機構８の第１の傘歯車８０が外筒２３と一体回動して第２の傘歯車８１の回動を開始させるので、アクチュエータ２の回動が作動軸３に伝達されて作動軸３が回動する。
【００７３】
作動軸３が回動すると、当初は作動軸３の凸子３２ａ，３２ｂはダイヤル駆動板９０の内周の係合溝９１ａ，９１ｂを摺動し、作動軸３はダイヤル駆動板９０に対して１符号分（３６度）だけ空転するので、各ダイヤル駆動板９０は追随して回動しないが（図２８−１（３）参照）、それ以後は、各ダイヤル駆動板９０は作動軸３と一体回動する。その結果、各ダイヤル駆動板９０の突片９２は、対応するダイヤル４について、解錠符号に応じた設定角度位置でダイヤル４の凸部９４を引っ掛け（図２８−２（４）参照）、ダイヤル４を強制回動させる。これにより、各ロックギヤ５の凸子摺動溝５３ａ，５３ｂは作動軸３の凸子３２ａ，３２ｂに対して位置ずれする。
【００７４】
作動軸３が１回転してダイヤル駆動板９０の突片９２が前記角度位置θより１符号分（３６度）だけ手前位置に至ったとき（図２８−２（５）参照）、各窓孔１３には各ダイヤル４の符号「０」が出現し、図９および図１０に示された「閉状態」となる。このとき、作動軸３は先端部３０が外筒２３の第２の凹部２６に嵌まり込み、アクチュエータ２の側へ変位した「第１変位位置」になっており、作動軸３の各凸子３２ａ，３２ｂと各ロックギヤ５の凸子摺動溝５３ａ，５３ｂとが位置ずれしているので、作動軸３がアクチュエータ２と反対方向へ移動するのが規制され、施錠状態が形成される。
【００７５】
次に、解錠操作時の動作について説明すると、符号錠装置が上記した「閉状態」にあるとき、作動軸３は、先端部３０が外筒２３の第２の凹部２６に嵌まってアクチュエータ２の側へ最も変位した状態にある（第１変位位置）。この状態では、各ダイヤル４は各ロックギヤ５と係わり合った状態にあり、しかも各ロックギヤ５は作動軸３と係わりが切れた状態にあるので、各ダイヤル４を回して解錠符号列を揃えることが可能となっている。
なお、各ダイヤル４は各ダイヤル駆動板９０と係わりが切れた状態にある。
【００７６】
いま、各ダイヤル４のダイヤル操作面４２を回動操作して、前記の解錠符号列（「２２２２」）を整列させると、作動軸３の凸子３２ａ，３２ｂの位置と各ロックギヤ５の凸子摺動溝５３ａ，５３ｂの位置とが揃うので、作動軸３がアクチュエータ２に対して反対方向へ移動するのが許容され、符号錠装置は解錠操作が可能な状態に設定される。
【００７７】
撮み２０を前記とは逆方向へ回動操作すると、アクチュエータ２の筒状体２１が回動し、作動軸３の先端部３０が外筒リング７０の突出面７３に乗り上がり、作動軸３がアクチュエータ２と反対方向へ押される結果、作動軸３は「第３変位位置」へ移行する。
もし、ここで解錠符号列でない間違った符号を整列させると、作動軸３の凸子３２ａ，３２ｂの位置と各ロックギヤ５の凸子摺動溝５３ａ，５３ｂの位置とは揃わず、各ロックギヤ５の凸子係合穴５４が作動軸３の凸子３２ａ，３２ｂの対向位置に位置する。このとき、撮み２０を回動操作すると、作動軸３は各凸子３２ａ，３２ｂがロックギヤ５の凸子係合穴５４に突き当たるまでアクチュエータ２に対して反対方向へ移動するが、作動軸３の先端部３０は外筒リング７０の突出面７３まで到達せず、突出面７３を乗り超えられないので、これ以上の撮み２０の回動操作が規制される。
【００７８】
作動軸３が「第３変位位置」へ移行した後、さらに、筒状体２１が回動すると、作動軸３の先端部３０は外筒リング７０の外周面７０Ａに転落し、作動軸３は「第４変位位置」へ移行する。この状態では、各ダイヤル４の溝列４１は各ロックギヤ５のいずれの突子列５０ａ，５０ｂとも噛み合っておらず、各ダイヤル４と各ロックギヤ５との係わりは切れているため、解錠符号列の記憶が解除される。従って、各ダイヤル４は単独で回動可能な状態となる。
また、作動軸３の各凸子３２ａ，３２ｂは各ロックギヤ５の凸子摺動溝５３ａ，５３ｂ内に進入した状態を維持している。
さらに、各ダイヤル駆動板９０は各ダイヤル４に近づいて係わっている。
【００７９】
これ以後、筒状体２１がさらに回動すると、回動機構８の第１の傘歯車８０が外筒２３と一体回動して第２の傘歯車８１の回動を開始させるので、筒状体２１の回動が作動軸３に伝達されて作動軸３が回動する。
【００８０】
作動軸３が回動すると、当初は作動軸３の凸子３２ａ，３２ｂはダイヤル駆動板９０の係合溝９１ａ，９１ｂを摺動し、作動軸３はダイヤル駆動板９０に対して１符号分（３６度）だけ空転するので、各ダイヤル駆動板９０は追随して回動しないが、それ以後は、各ダイヤル駆動板９０は作動軸３と一体回動し、各ダイヤル駆動板９０の突片９２は、対応するダイヤル４について、解錠符号に応じた設定角度位置でダイヤル４の凸部９４を引っ掛け、ダイヤル４を強制回動させる。
【００８１】
作動軸３が１回転してダイヤル駆動板９０の突片９２が所定の角度位置θに至ったとき（図２８−１（１）参照）、各窓孔１３には各ダイヤル４の符号「０」が出現し、図５および図６に示された「開状態」となる。このとき、作動軸３は先端部３０が外筒２３の第１の凹部２５に嵌り込み、アクチュエータ２の側へ変位して「第１変位位置」になっている。
【図面の簡単な説明】
【００８２】
【図１】この発明の符号錠装置の外観を示す平面図である。
【図２】この発明の符号錠装置の外観を示す側面図である。
【図３】符号錠装置の内部構造を示す正面図である。
【図４】符号錠装置の内部構造を示す平面図である。
【図５】符号錠装置の内部構造を示す開状態時の水平方向に沿う断面図である。
【図６】符号錠装置の内部構造を示す開状態時の垂直方向に沿う断面図である。
【図７】符号錠装置の内部構造を示す施錠操作時の水平方向に沿う断面図である。
【図８】符号錠装置の内部構造を示す施錠操作時の垂直方向に沿う断面図である。
【図９】符号錠装置の内部構造を示す閉状態時の水平方向に沿う断面図である。
【図１０】符号錠装置の内部構造を示す閉状態時の垂直方向に沿う断面図である。
【図１１】符号錠装置の内部構造を示す解錠操作時の水平方向に沿う断面図である。
【図１２】符号錠装置の内部構造を示す解錠操作時の垂直方向に沿う断面図である。
【図１３】符号錠装置の内部構造を示す解錠操作時の水平方向に沿う断面図である。
【図１４】符号錠装置の内部構造を示す解錠操作時の垂直方向に沿う断面図である。
【図１５】ダイヤル本体の側面図である。
【図１６】ダイヤル本体の正面図である。
【図１７】図１５のＡ−Ａ線に沿う断面図である。
【図１８】ロックギヤの側面図である。
【図１９】ロックギヤの正面図である。
【図２０】図１８のＢ−Ｂ線に沿うロックギヤの断面図である。
【図２１】ダイヤル駆動板の側面図である。
【図２２】ダイヤル駆動板の正面図である。
【図２３】図２１のＣ−Ｃ線に沿う断面図である。
【図２４】外筒の平面図および底面図である。
【図２５】外筒リングの斜視図である。
【図２６】第１の傘歯車の平面図である。
【図２７】可動体の平面図、正面図および右側面図である。
【図２８−１】ダイヤル強制駆動機構の動作を示す作動軸、ダイヤル駆動板、およびダイヤルの側面図である。
【図２８−２】図２８−１の動作の続きを示す作動軸、ダイヤル駆動板、およびダイヤルの側面図である。
【符号の説明】
【００８３】
２    アクチュエータ
３    作動軸
４    ダイヤル
５    ロックギヤ
６    解錠符号列設定機構
７    往復動機構
８    回動機構
９    ロック機構
２１  筒状体
３２  凸子
４３  符号
５３  凸子摺動溝
６０  変位機構
９０  ダイヤル駆動板
９１  係合溝
９２  突片
９３  摺動溝
９４  凸部
１００  ダイヤル強制駆動機構
【図１】
0004574688.tif 000002
【図２】
0004574688.tif 000003
【図３】
0004574688.tif 000004
【図４】
0004574688.tif 000005
【図５】
0004574688.tif 000006
【図６】
0004574688.tif 000007
【図７】
0004574688.tif 000008
【図８】
0004574688.tif 000009
【図９】
0004574688.tif 000010
【図１０】
0004574688.tif 000011
【図１１】
0004574688.tif 000012
【図１２】
0004574688.tif 000013
【図１３】
0004574688.tif 000014
【図１４】
0004574688.tif 000015
【図１５】
0004574688.tif 000016
【図１６】
0004574688.tif 000017
【図１７】
0004574688.tif 000018
【図１８】
0004574688.tif 000019
【図１９】
0004574688.tif 000020
【図２０】
0004574688.tif 000021
【図２１】
0004574688.tif 000022
【図２２】
0004574688.tif 000023
【図２３】
0004574688.tif 000024
【図２４】
0004574688.tif 000025
【図２５】
0004574688.tif 000026
【図２６】
0004574688.tif 000027
【図２７】
0004574688.tif 000028
【図２８−１】
0004574688.tif 000029
【図２８−２】
0004574688.tif 000030